(57)【要約】      （修正有）【課題】純度９７％以上の純度の高い錫の柔らかさを利用して、薄い平板状のプレート本体の周縁を手で折り曲げることで様々な好みの形状の食器容器や入れ物に容易に成形することができ、卓上や台上に安定した状態で置くことが可能な容器に成形できる錫鋳物を提供する。【解決手段】錫鋳物１のプレート本体２の周縁部を手で折り曲げることで様々な形状の器が成形できる純度９７％以上の錫鋳物からなり、薄い平板状のプレート本体の下面２ｂの中央位置には、１ｍｍ〜５ｍｍ下方に突出した平坦な底部３が設けられている。【選択図】図２
0003221386.tif 000002
【実用新案登録請求の範囲】
【請求項１】
周縁部を折り曲げることで様々な形状の器を成形できる純度９７％以上の錫鋳物からなる薄い平板状のプレート本体と、当該プレート本体の下面の中央位置に１ｍｍ〜５ｍｍ下方に突出した平坦な底部を設けたことを特徴とする錫鋳物。
【請求項２】
上記プレート本体の上面の中央位置に、上記底部の外形状より小さな形状の窪み部を設けたことを特徴とする請求項１に記載の錫鋳物。
【請求項３】
上記底部の内側部を窪ませて平坦な外形突起部を形成したことを特徴とする請求項１に記載の錫鋳物。
【請求項４】
上記プレート本体の外形は、円形状または楕円形状からなることを特徴とする請求項１〜３のいずれかに記載の錫鋳物。
【請求項５】
上記プレート本体の外形は、三角形状またはそれ以上の多角形状からなることを特徴とする請求項１〜３のいずれかに記載の錫鋳物。
【請求項６】
上記底部の外形は、円形状または楕円形状あるいは多角形状からなることを特徴とする請求項１〜５のいずれかに記載の錫鋳物。
【考案の詳細な説明】
【技術分野】
【０００１】
本考案は、薄い平板状のプレート本体の周縁を手で折り曲げて自在に変形することにより、平皿等の食器容器に成形でき、また小物等の入れ物としても使用することができる錫鋳物に関するものである。
【背景技術】
【０００２】
錫は、常温では柔らかく腐食に強く、かつ毒性が少ないために、古代から食器や花器あるいは工芸製品として用いられてきた。純度の高い錫は非常に柔らかく、容易に変形しやすく傷がつきやすい為に、銅、アンチモン、ビスマス、カドミウム、銀などと錫合金を形成して、錫の硬度を高めて最終製品として用いられてきた。従来の錫や錫合金による容器や装飾品は、鋳物の鋳型によって最終製品の形態を成形するか、錫合金の配合割合を工夫することによって銅合金やアルミニウムと同様にプレス成形可能な材料にして最終製品を成形していた（特許文献１）。
【０００３】
近年、純度の高い錫を素材とした平紙状の錫紙（すずがみ）が提供されている。図６で示す錫紙６は、手で自由に変形して皿や容器等の形態を形成することができる。この錫紙６は全体を薄く平坦に延ばした錫の平紙７で構成されているので、手で変形させた最終の形状は様々なものとなる。折り曲げて成形した後の平紙７を器として用いる場合には、平紙７の下部も様々な形状となり不安定な器にならざるを得なかった。
【先行技術文献】
【特許文献】
【０００４】
【特許文献１】特開昭６０−６３００８号公報
【考案の概要】
【考案が解決しようとする課題】
【０００５】
本考案は、９７％以上の純度の高い錫の柔らかさを利用して、薄い平板状の錫鋳物のプレート本体の周縁を、手で折り曲げることで様々な形状に変形することで、錫鋳物を好みの形状の容器や入れ物に容易に成形することができる。またプレート本体の下面の中央位置には容器の高台の機能を発揮させるための底部を備えた錫鋳物を提供することを目的としている。
【課題を解決するための手段】
【０００６】
本考案のうち請求項１の考案は、周縁部を折り曲げることで様々な形状の器を成形できる純度９７％以上の錫鋳物からなり、薄い平板状のプレート本体と、プレート本体の下面の中央位置には１ｍｍ〜５ｍｍ下方に突出した平坦な底部を設けたことを特徴としている。
【０００７】
本考案のうち請求項２の考案は、プレート本体の上面の中央位置に、底部の外形状より小さな形状の窪み部を設けたことを特徴としている。
【０００８】
本考案のうち請求項３の考案は、底部の内側部を窪ませて平坦な外形突起部を形成したことを特徴としている。
【０００９】
本考案のうち請求項４の考案は、プレート本体の外形は、円形状または楕円形状からなることを特徴としている。
【００１０】
本考案のうち請求項５の考案は、プレート本体の外形は、三角形状またはそれ以上の多角形状からなることを特徴としている。
【００１１】
本考案のうち請求項６の考案は、底部の外形は、円形状または楕円形状あるいは多角形状からなることを特徴としている。
【考案の効果】
【００１２】
本考案のうち請求項１の考案によれば、純度が９７％以上の錫鋳物により構成されており、柔らかくプレート本体を自在に変形でき、平皿や入れ物など、用途に応じて好みの形状とすることができる。とくに、プレート本体の下面の中央位置に平坦な底部を設けてあるので、卓上や台上に置いた際に器の高台の機能として働き、器を安定した状態で置くことができる。
また、錫鋳物のプレート本体を変形する際に、底部の厚さはプレート本体の周縁部よりも厚く形成されており、手では容易に変形できないことから、プレート本体の変形後も底部の形状を統一した形態の器として全体を纏めることができる。さらに変形前の錫鋳物は薄板形状であるので、収納や輸送に簡便である。
【００１３】
本考案の請求項２によれば、プレート本体の上面の中央位置に、底部の外形状より小さな形状の窪み部を設けることで、プレート本体全体の厚さを薄く均一にすることができ、錫材料の鋳型内の錫の流れが一様になり鋳物の成形が容易となる。また錫鋳物全体の材料を少なく重量も軽くすることができる効果がある。
【００１４】
本考案の請求項３によれば、底部の内側部を全体的に窪ませて平坦な外形突起部を形成することにより、器を卓上や台上に置いた際に高台としての安定性を高めることができる。またプレート本体の厚さを薄く均一にできることで鋳物の成形が容易となり、錫鋳物全体の材料を少なく重量も軽くすることができる効果がある。
【００１５】
本考案のうち請求項４〜６の考案によれば、プレート本体または底部の外形を円や多角形の好みの形状とすることができる。
【図面の簡単な説明】
【００１６】
【図１】（ａ）は、本考案の第１実施例を示す錫鋳物の平面図であり、（ｂ）はその側面図である。
【図２】（ａ）は、図１の錫鋳物の周縁部を上方に曲げて変形させた後の斜視図であり、（ｂ）はその側面から見た斜視図である。
【図３】（ａ）は、本考案の第２実施例を示した錫鋳物の平面図であり、（ｂ）はそのＡ−Ａ線断面図である。
【図４】（ａ）は、本考案の第３実施例を示した錫鋳物の平面図であり、（ｂ）はそのＢ−Ｂ線断面図である。
【図５】（ａ）は、本考案の第４実施例を示した錫鋳物の平面図であり、（ｂ）はその右側面図である。
【図６】従来例である錫紙を示す斜視図である。
【考案を実施するための形態】
【００１７】
以下、本考案による錫鋳物の第１〜第４実施例を添付した図面に基づいて以下に説明する。
【実施例１】
【００１８】
図１（ａ）は、本考案の第１実施例を示す平面図であり、図１（ｂ）は図１（ａ）の側面図である。錫鋳物１は、全体が純度９７％以上の錫からなり、好ましくは純度９９％以上の錫からなる鋳物で構成されている。
プレート本体２は薄い板状の外形が正方形の形状を有し、プレート本体２の上面２ａは全体が平板状である。反対側の下面２ｂには、外形状が円形状の底面３がプレート本体２の下方に１〜５ｍｍ突出した状態で、中央位置Ｃの位置にプレート本体２と一体的に設けられている。
【００１９】
図２（ａ）は、図１の錫鋳物１のプレート本体２の周縁部を上方に曲げて変形させた後の斜視図であり、図２（ｂ）は図２（ａ）を側面方向から見た斜視図である。プレート本体２の周縁部を上方に曲げる際は、錫純度が９７％以上で柔らかく容易に曲げることができる。
図２（ａ）は、プレート本体２の周縁部４ケ所を上方に均等に曲げた形態を示した斜視図である。プレート本体２と一体的に構成された底部３は、全体がプレート本体２より厚く構成されていることにより、手では容易に折り曲げることはできない。
このことから、底部３は平坦な円形状の高台としての機能を有し、卓上や台上に器として安定的に置くことができる。また底部３は手では容易に変形できないことから、プレート本体２を様々な形状に変形しても、底部３は形状が同一となり、高台の形状が統一されて器のシリーズ化が可能となる。
【第２実施例】
【００２０】
図３は、本考案の第２実施例を示す図であり、図３（ａ）はその平面図、図３（ｂ）は図３（ａ）のＡ−Ａ線断面図である。この錫鋳物１は、全体が錫純度９７％以上、好ましくは９９％以上の錫鋳物から構成されている。プレート本体２は薄い板状の正方形の外形を有している。プレート本体２の下面２ｂには、外形が円形状の平坦な底面３が下方に１〜５ｍｍ突出した状態で中央位置Ｃの位置に一体的に設けられている。
一方、プレート本体２の上面２ａの中央位置Ｃには、外形が円形状で大きさが底面３の外径より小さな内径の円筒状の窪み部４が凹設されている。図３（ｂ）のＡ−Ａ線断面図に示すように、底部３の錫鋳物の厚みは、プレート本体２の厚みと略同一の厚さとすることができる。
このことから錫鋳物を成形する際には、鋳物の各部の厚さの相違による溶融鋳物の凝固時間の差が少なくなり、錫鋳物の成形が容易となる。また本形態のプレート本体２の周縁部は容易に曲げることができるが、底部３は凹形状の角部が形成されており、手で折り曲げることは困難となり、高台としての機能が発揮される。
【第３実施例】
【００２１】
図４は、本考案の第３実施例を示す錫鋳物の図であり、図４（ａ）は平面図、図４（ｂ）は図４（ａ）のＢ−Ｂ線断面図である。この錫鋳物１も、全体が錫純度９７％以上、好ましくは９９％以上の錫鋳物から構成されている。プレート本体２は薄い板状の正五角形の外形状を有しており、その上面２ａは平坦な平面である。プレート本体２の下面２ｂには、外形がプレート本体２の外形と同じく正五角形状を有しており、底面３は下方に１〜５ｍｍ突出した状態で中央位置Ｃの位置にプレート本体２と一体的に設けられている。そして底面３の内側部３ｂは、正五角形状の窪み部５が凹設されている。
このことから、底部３の外形は正五角形の平坦に連続した外形突起部３ａを形成している。
本実施例のプレート本体２の周縁部も手で容易に曲げることができるが、底部３の外形突起部３ａは手で折り曲げることは困難となり、平坦な高台としての機能を有する。プレート本体２の曲げ形状は好みの形状に成形できるが、底部３は変形しないで、外形突起部３ａは連続した平坦部を形成して高台としての機能をより高めた容器となる。
【第４実施例】
【００２２】
図５は、本考案の第４実施例を示した錫鋳物の図であり、図５（ａ）は平面図であり、図５（ｂ）は図５（ａ）の側面図である。この錫鋳物１も、全体が錫純度９７％以上、好ましくは９９％以上の錫鋳物から構成されている。プレート本体２の外形は円形状であり、その上面２ａは平坦な平面状である。プレート本体２の下面２ｂには、外形が三角形状の平坦な底面３がプレート本体２の下方に１〜５ｍｍ突出した状態でプレート本体２の中央位置Ｃの位置に一体的に設けられている。底部３は容器の高台としての機能を有して卓上や台上に安定して置くことができる。プレート本体２の周縁は手で容易に曲げることができるが、底部３はプレート本体２の厚さより厚く構成されているので、手では容易に変形できない。
このことから底部３は容器の高台としての機能を有する。
【符号の説明】
【００２３】
１      錫鋳物
２      プレート本体
２ａ    上面
２ｂ    下面
３      底部
３ａ    外形突起部
３ｂ    内側部
４、５    窪み部
６      錫紙
７      平紙
【図１】
0003221386.tif 000003
【図２】
0003221386.tif 000004
【図３】
0003221386.tif 000005
【図４】
0003221386.tif 000006
【図５】
0003221386.tif 000007
【図６】
0003221386.tif 000008